(57)【要約】【目的】異なる回転軸を持つ複数のシャフトを有して使用可能な空間を拡張するヒンジ構造とそれを用いた折り畳み式電子デバイスを提供する。【解決手段】第１ボディと、第２ボディと、第３ボディとを連結するためのヒンジ構造が、第１ヒンジ構造と第２ヒンジ構造とを含み、第１ヒンジ構造が、第１ボディに連結するピボットベースと第３ボディに連結する回転部分とを含むものである。回転部分が、ピボットベース上に回転軸を置いて、第３ボディが、第１ボディに対して第１回転軸の周りをオープンまたはクローズ揺動することができる。第２ヒンジ構造が、第２ボディに配置されるスリーブおよびスリーブの内側に配置されるシャフトを含むものである。シャフトが、スリーブに対して第２回転軸の周りを回転できるとともに、ピボットベースに連結する。シャフトが回転する時、シャフトに連結するピボットベースおよび回転部分を介して、第３ボディおよび第１ボディが、第２ボディに対してオープンまたはクローズ揺動することができる。【選択図】図２A
2007115239.tif 000002
【特許請求の範囲】
【請求項１】
折り畳み式電子デバイスであり：
第１側面および前記第１側面に隣接する第２側面を有する第１ボディと；
前記第１ボディの前記第１側面に配置される第２ボディと；
前記第１ボディの前記第２側面に配置される第３ボディと；
ピボットベースおよび回転部分を含む第１ヒンジ構造であり、そのうち、前記ピボットベースが、前記第１ボディに連結し、前記回転部分が、前記第３ボディに連結するとともに、前記ピボットベースに回転軸を置き、第１回転軸の周りを回転することができて、前記第１ボディに対して前記第１回転軸の周りをオープンまたはクローズ揺動することができる第１ヒンジ構造と；
スリーブおよびシャフトを含む第２ヒンジ構造であり、そのうち、前記スリーブが、前記第２ボディに配置され、前記シャフトが、前記スリーブの内側に配置されるとともに、前記スリーブに対して第２回転軸の周りを回転することができ、前記シャフトの一端が前記ピボットベースに連結し；前記シャフトが回転する時、前記シャフトと連結する前記ピボットベースおよび前記ピボットベース上に回転軸を置く前記回転部分を介して、前記第１ボディが駆動されるとともに、前記第２ボディ対して前記第２回転軸の周りをオープンまたはクローズ揺動することができる第２ヒンジ構造と
を含むものである折り畳み式電子デバイス。
【請求項２】
前記第１回転軸が、前記第２回転軸に垂直である請求項１記載の折り畳み式電子デバイス。
【請求項３】
前記ピボットベースが、対応する通孔を有し、前記回転部分が、前記第１回転軸の周りを回転することができるシャフトを含み、前記シャフトが、前記通孔の内側に配置されて、前記シャフトが、前記ピボットベースに対して回転することができる請求項１記載の折り畳み式電子デバイス。
【請求項４】
前記ピボットベースが、シャフトを含み、前記回転部分が、前記シャフトに対応する少なくとも１つの通孔を有し、前記シャフトが、前記通孔の内側に配置されて、前記シャフトが、前記ピボットベースに対して回転することができる請求項１記載の折り畳み式電子デバイス。
【請求項５】
更に、第４ボディと、第３ヒンジ構造とを含むものであり、そのうち、前記第３ヒンジ構造が、第３回転軸の周りを回転することができ、前記第４ボディが、前記第３ヒンジ構造上に回転軸を置いて、前記第４ボディが、前記第２ボディに対して前記第３回転軸の周りをオープンまたはクローズ揺動することができ；前記第３回転軸が前記第１回転軸と平行である請求項１記載の折り畳み式電子デバイス。
【請求項６】
ヒンジ構造であり、第１ボディと、第２ボディと、第３ボディとを連結するために使用され、そのうち、前記第２ボディおよび前記第３ボディが、それぞれ、前記第１ボディの第１側面および第２側面に配置され、前記第２側面が、前記第１側面に隣接されるものであって；前記ヒンジ構造は：
ピボットベースおよび回転部分を含む第１ヒンジ構造であり、そのうち、前記ピボットベースが、前記第１ボディに連結し、前記回転部分が、前記第３ボディに連結するとともに、前記ピボットベース上に回転軸を置いて、第１回転軸の周りをオープンまたはクローズ揺動することができる第１ヒンジ構造と；
スリーブおよびシャフトを含む第２ヒンジ構造であり、そのうち、前記スリーブが、前記第２ボディに配置され、前記シャフトが、前記スリーブの内側に配置されるとともに、前記スリーブに対して第２回転軸の周りを回転することができ、前記シャフトの一端が、
前記ピボットベースに連結し；前記シャフトが回転する時、前記シャフトに連結する前記ピボットベースおよび前記ピボットベースに回転軸を置く前記回転部分を介して、前記第１ボディが、駆動されるとともに、前記第２ボディに対して前記第２回転軸の周りをオープンまたはクローズ揺動することができる第２ヒンジ構造と
を含むものであるヒンジ構造。
【請求項７】
前記第１回転軸が、前記第２回転軸に垂直である請求項６記載のヒンジ構造。
【請求項８】
前記ピボットベースが、対応する通孔を有し、前記回転部分が、前記第１回転軸の周りを回転することができるシャフトを含み、前記シャフトが、前記通孔の内側に配置されて、前記シャフトが、前記ピボットベースに対して回転することができる請求項６記載のヒンジ構造。
【請求項９】
前記ピボットベースが、シャフトを含み、前記回転部分が、前記シャフトに対応する少なくとも１つの通孔を有し、前記シャフトが、前記通孔の内側に配置されて、前記シャフトが、前記ピボットベースに対して回転することできる請求項６記載のヒンジ構造。
【発明の詳細な説明】
【技術分野】
【０００１】
本発明は、ヒンジ構造および電子デバイスに関し、特に、折り畳み式電子デバイスの拡張された使用可能な空間を有するヒンジ構造およびそれを使用する折り畳み式電子デバイスに関する。
【背景技術】
【０００２】
現代の情報社会において、人々は、益々、携帯電話、ノートブックコンピューターおよびパーソナルデジタルアシスタント（ＰＤＡｓ）のような携帯式の電子製品に頼っている。これらの携帯式製品は、人々の日常生活がそれらなしでは考えられない程、とても重要な役割を果たしている。電子技術の継続的な進歩に伴い、携帯式の電子製品は、以前にはない人間工学的特性および強力な機能への絶え間ない更新を経験している。
【０００３】
送受話器に関して、多くの共通なスタイルが、現在の市場で利用可能となっている。操作インターフェイス（キーパッド）とディスプレイスクリーンとが同一平面に位置するストレート式の送受話器以外に、操作インターフェイス（キーパッド）とディスプレイスクリーンとが、１つに折り畳まれることができる折り畳み式の携帯電話もある。ストレート式の送受話器と比較して、折り畳み式の携帯電話は、軽量および便利、より大きなディスプレイ等の圧倒的な長所を有する。
【０００４】
図１Aおよび図１Bは、それぞれ、オープン状態の従来技術の折り畳み式携帯電話の正面図および側面図である。図１Aおよび図１Bを参照すると、折り畳み式携帯電話１００は、第１ボディ１１０と、第２ボディ１２０と、シャフト１３０と、キーパッド１４０と、液晶ディスプレイモジュール（LCDモジュール）１５０とを含むものである。そのうち、シ
ャフト１３０は、第１ボディ１１０と第２ボディ１２０との間に配置され、第２ボディ１２０が第１ボディ１１０上に回転軸を置くようにさせる。このように、第２ボディ１２０は、第１ボディ１１０に対して回転軸Ｒの周りを回転することができる。また、LCDモジ
ュール１５０は、第２ボディ１２０に配置され、その一方、キーパッド１４０が、第１ボディ１１０上に配置されるので、ユーザーは、LCDモジュール１５０のディスプレイによ
り補助される送受話器を操作することができる。
【０００５】
上記の折り畳み式携帯電話１００に関して、シャフト１３０は、第１ボディ１１０および第２ボディ１２０に連結するだけであり、このように、第２ボディ１２０は、第１ボディ１１０に対して単一の回転軸Ｒの周りを回転する。従って、折り畳み式携帯電話１００に対して、使用のために有効な空間は、最大で４つの面があり、即ち、第１ボディ１１０の前後面および第２ボディ１２０の前後面である。
【発明の開示】
【発明が解決しようとする課題】
【０００６】
しかしながら、今日、折り畳み式電子デバイスが、より強力な多機能へと向かうために、送受話器、ノートブックコンピューターまたはパーソナルデジタルアシスタント（ＰＤＡ）にかかわらず、そのような制限された使用可能な空間は、機能を拡張するための障害となっている。従って、使用可能な空間を拡張するためにヒンジ構造の設計を改善することは、折り畳み式電子デバイスの発展において、緊急かつ困難な課題である。
【０００７】
本発明の目的は、折り畳み式電子デバイスの使用可能な空間を拡張するために、異なる回転軸を持つ複数のシャフトを有する折り畳み式電子デバイスを提供することにある。
【０００８】
本発明のもう１つの目的は、電子デバイスの使用可能な空間を増加するために、異なる回転軸を有する複数のヒンジ構造が、１つのボディと他の複数のボディとを連結するために電子デバイスのボディ上に配置されることを特徴とするヒンジ構造を提供することにある。
【０００９】
更に、本発明の目的は、第１ボディが第２ボディに対して垂直な回転軸の周りを揺動させられるヒンジ構造を提供することにある。
【課題を解決するための手段】
【００１０】
ここに具体的かつ明確に説明されるように、本発明は、第１ボディと、第２ボディと、第３ボディと、第１ヒンジ構造と、第２ヒンジ構造とを含む折り畳み式電子デバイスを提供する。そのうち、第１ボディが、第１側面および第１側面に隣接する第２側面を有するものである。第２ボディが、第１ボディの第一側面に配置されるものであり；第３ボディが、第１ボディの第２側面に配置されるものである。第１ヒンジ構造が、ピボットベースおよび回転部分を含むものである。ピボットベースが、第１ボディに連結し、回転部分が、第３ボディに連結するとともに、第１回転軸の周りを回転することができるピボットベース上に回転軸を置き、第３ボディが、第１ボディに対して第１回転軸の周りをオープンまたはクローズ揺動することができる。第２ヒンジ構造が、スリーブおよびシャフトを含むものである。スリーブが、第２ボディに配置され、シャフトが、スリーブの内側に配置されるとともに、スリーブに対して第２回転軸の周りを回転することができ；シャフトの一端が、ピボットベースに連結し、シャフトが回転する時、第１ボディが、駆動されて、シャフトとピボットベース上に回転軸を置く回転部分とを連結するピボットベースを介して第２ボディに対して第２回転軸の周りをオープンまたはクローズ揺動する。
【００１１】
本発明の実施形態中、第１回転軸が、第２回転軸に垂直である。
本発明の実施形態中、通孔が、ピボットベースに対応して配置され、回転部分が、シャフトをピボットベースに対して回転させるための通孔に配置されるシャフトを含むものである。
【００１２】
本発明の実施形態中、ピボットベースが、シャフトを含み、回転部分が、シャフトに対応する少なくとも１つの通孔を有し、シャフトが、通孔に配置されるので、シャフトが、ピボットベースに対して回転することができる。
【００１３】
本発明の実施形態中、折り畳み式電子デバイスが、更に、第４ボディおよび第３ヒンジ構造を含むものである。第３ヒンジ構造が、第３回転軸を有し、第４ボディが、第３ヒンジ構造に回転軸を置き、第２ボディに対して第３回転軸の周りをオープンまたはクローズ揺動することができ、そのうち、第３回転軸が、第１回転軸に平行である。
【００１４】
ここに具体的かつ明確に説明されるように、本発明は、更に、第１ボディと、第２ボディと、第３ボディとを連結するためのヒンジ構造を提供する。第２ボディおよび第３ボディが、それぞれ、第１ボディの第１側面および第２側面に配置され、そのうち、第１側面が、第２側面に隣接されるものである。ヒンジ構造が、第１ヒンジ構造と、第２ヒンジ構造とを含むものである。そのうち、第１ヒンジ構造が、ピボットベースと、回転部分とを含むものである。ピボットベースが、第１ボディと連結し、回転部分が、第３ボディと連結するとともに、第１回転軸の周りを回転することができるピボットベース上に回転軸を置き、第３ボディが、第１ボディに対して第１回転軸の周りをオープンまたはクローズ揺動することができる。第２ヒンジ構造が、スリーブとシャフトとを含むものである。スリーブが、第２ボディに配置され、シャフトがスリーブの内側に配置されるとともに、スリーブに対して第２回転軸の周りを回転することができ；シャフトの一端が、ピボットベースと連結し、シャフトが回転する時、第１ボディが、駆動されて、シャフトとピボットベ
ース上に回転軸を置く回転部分とを連結するピボットベースを介して第２ボディに対して第２回転軸の周りをオープンまたはクローズ揺動する。
【００１５】
本発明の実施形態中、第１回転軸が、第２回転軸に垂直である。
【００１６】
本発明の実施形態中、通孔が、ピボットベースに対応して配置され、回転部分が、シャフトをピボットベースに対して回転させるための通孔に配置されるシャフトを含むものである。
【００１７】
本発明の実施形態中、ピボットベースが、シャフトを含み、回転部分が、シャフトに対応する少なくとも１つの通孔を有し、シャフトが、通孔に配置され、シャフトが、ピボットベースに対して回転することができる。
【００１８】
本発明の実施形態中、ヒンジ構造が、更に、第３ヒンジ構造を含むものである。第２ボディが、第３ヒンジ構造を介して第４ボディに連結する。そのうち、第３ヒンジ構造が、第３回転軸を有し、第４ボディが第３ヒンジ構造上に回転軸を置くとともに、第２ボディに対して第３回転軸の周りをオープンまたはクローズ揺動することができ、第３回転軸が、第１回転軸と平行である。
【００１９】
上記のように、本発明のヒンジ構造およびそれを使用する折り畳み式電子デバイスは、シャフトの特殊な設計によって、異なる回転軸を有する複数のシャフトが、ボディの異なる側面に配置され、ボディを他の複数のボディに連結させる。全てのボディにおいて、スクリーン、キーパッド、タブレット等のような多様な入出力デバイスが、実際の要求に基づいて配置されることができる。このようにして、電子デバイスの使用可能な空間が、より大きく拡張される。
【発明の効果】
【００２０】
本発明のヒンジ構造およびそれを使用する折り畳み式電子デバイスは、異なる回転軸を有する複数のシャフトが、シャフトの特殊な設計によって、ボディをその他の複数のボディと連結させるため、ボディの異なる側面に配置されることを特徴とするものである。全てのボディにおいて、スクリーン、キーパッド、タブレット等のような多様な入出力デバイスが、実際の要求に基づいて配置されることができる。そうすることにより、電子デバイスの使用可能な空間が、より大きく拡張される。
【発明を実施するための最良の形態】
【００２１】
図２Aおよび図２Bは、それぞれ、本発明の第１実施形態により提供される折り畳み式電子デバイスの正面図および立体図である。図２Aおよび図２Bを参照すると、本発明の折り畳み式電子デバイス２００は、主に、第１ボディ２１０と、第２ボディ２２０と、第３ボディ２３０と、第４ボディ２４０と、第１ヒンジ構造２５０と、第２ヒンジ構造２６０と、第３ヒンジ構造２７０とを含むものである。構成要素の構造およびそれらの間の関係は、以下に図面とともに説明される。
【００２２】
第１ボディ２１０が、第１側面２１０ａおよび第１側面２１０ａと隣接する第２側面２１０ｂを有するものである。実施形態中、第１側面２１０ａと第２側面２１０ｂとが、相互に垂直である。第２ボディ２２０が、第１ボディ２１０の第１側面２１０ａに配置され、第３ボディ２３０が、第１ボディ２１０の第２側面２１０ｂに配置され、第４ボディ２４０が、第２ボディ２２０の上方に配置される。
【００２３】
第１ヒンジ構造２５０が、２つのピボットベース（pivot base）２５２ａ，２５２ｂと回転部分２５４とを含むものである。ピボットベース２５２ａ，２５２ｂが第１ボディ２
１０に連結し；回転部分２５４が、第３ボディ２３０に連結するとともに、第１回転軸Ａの周りを回転することができるピボットベース２５２ａ，２５２ｂ上に回転軸を置く（pivots on）ので、第３ボディ２３０が第１ボディ２１０に対して第１回転軸Ａの周りをオ
ープンまたはクローズ揺動（swing open or close）することができる。
【００２４】
第２ヒンジ構造２６０が、スリーブ２６２およびシャフト２６４を含むものである。スリーブ２６２が、第２ボディ２２０の側面に配置され、そのうち、当該側面が、第１ボディ２１０に隣接する。シャフト２６４が、スリーブ２６２の内側に配置されるとともに、スリーブ２６２に対して第２回転軸Ｂの周りを回転することができる。第１回転軸Ａと第２回転軸Ｂとが、相互に垂直である。図２Aおよび図２Bから分かるように、シャフト２６４の上端が、ピボットベース２５２ａに連結し、シャフト２６４が回転する時、シャフト２６４とピボットベース２５２ａ，２５２ｂ上に回転軸を置く回転部分２５４とを連結するピボットベース２５２ａによって、第３ボディ２３０および第１ボディ２１０の両方が、駆動されて、第２ボディ２２０に対して第２回転軸Ｂの周りをオープンまたはクローズ揺動する。
【００２５】
第４ボディ２４０が、第２ボディ２２０の上方に配置され、第３ヒンジ構造２７０を配置することにより、第２ボディ２２０に対して第３回転軸Ｃの周りをオープンまたはクローズ揺動する。第３ヒンジ構造２７０が、第４ボディ２４０を第２ボディ２２０に対してオープンまたはクローズ揺動させる一般の折り畳み式電子デバイスと同じ回転軸構造を有することができるので、その説明は、簡単化のために省略する。更に、ここに記載される第３ヒンジ構造２７０および第４ボディ２４０が、第２ボディ２２０の上方に位置する配置は、１つの選択にすぎない。実際に、本発明は、第３ヒンジ構造２７０および第４ボディ２４０の配置を限定するものではない。
【００２６】
図３は、第１ヒンジ構造および第２ヒンジ構造を示す要部拡大図である。図３において、ピボットベース２５２ａの一端が、第２ボディ２２０の側面に位置し、第１ボディ２１０の側面に延伸するとともに第１ボディ２１０上に固定され；ピボットベース２５２ｂが、ピボットベース２５２ａと対向する第１ボディ２１０上に配置され；シャフト２５２ｃが、ピボットベース２５２ａとピボットベース２５２ｂとの間に回転軸を置くものである。回転部分２５４が、第３ボディ２３０の側面に配置されるとともに、シャフト２５２ｃの位置に対応し；通孔２５４ａが、回転部分２５４に配置される。第１ボディ２１０と第３ボディ２３０とが、組み立てられる時、シャフト２５２ｃが、通孔２５４ａ中に置かれる必要があるので、回転部分２５４が、ピボットベース２５２ａ，２５２ｂに対して第１回転軸Ａの周りを回転する。
【００２７】
図３に示すように、ピボットベース２５２ａの一端が、シャフト２６４の上端に連結する。シャフト２６４が、第２回転軸Ｂの周りを回転する時、ピボットベース２５２ａと、回転部分２５４と、ピボットベース２５２ｂとが回転するように駆動される。このように、第１ボディ２１０および第３ボディ２３０が第２ボディ２２０に対して回転軸Ｂの周りをオープンまたはクローズ揺動する。
【００２８】
２つのピボットベース２５２ａと２５２ｂとの間にシャフト２５２ｃを配置することおよび回転する回転部分２５４の内側に対応する通孔２５４ａを配置することの上記の設計を除いて、通孔を２つのピボットベース２５２ａと２５２ｂとの間に配置し、回転部分の内側に対応するシャフトを配置するとともに、通孔にシャフトを置く設計もあるので、第３ボディ２３０が、第１ボディ２１０に対して第１回転軸Ａの周りをオープンまたはクローズ揺動する同一の目的が達成される。実際に、図３は、第１ヒンジ構造２５０および第２ヒンジ構造２６０の実施形態の１つを示しているだけである。当業者であれば、第１ヒンジ構造２５０および第２ヒンジ構造２６０に他の異なる回転軸の設計を使用することが
できるから、本発明は、第１ヒンジ構造２５０および第２ヒンジ構造２６０に使用される所の如何なる実行できる実施形態にも限定されるものではない。
【００２９】
図４A〜図４Gは、本発明により提供される折り畳み式電子デバイスのクローズからフルオープンまでの異なる状態およびその全ボディを示す概略図である。最初に、図４Aを参
照すると、第１ボディ２１０と、第２ボディ２２０と、第３ボディ２３０と、第４ボディ２４０とが、閉じられるとともに、１つに折り畳まれている。次に、図４Bを参照すると
、第３ヒンジ構造２７０が、第４ボディ２４０を図４Cに示されるような上端位置（top position）まで第２ボディ２２０に対して上へ揺動させることができる。その後、図４Dを参照すると、第１ボディ２１０および第３ボディ２３０が、図４Eに示されるような終端
位置まで右へ揺動する。最後に、図４Fを参照すると、第４ボディ２４０が、図４Gに示されるように終端位置まで上へ揺動する。
【００３０】
多様な要求に基づいて、スクリーン、キーパッド、タブレット等が、全てのボディ上に配置されることができる。図５は、本発明の実施形態に基づく折り畳み式電子デバイス実例の概略図である。図５を参照すると、本実施形態中、２つのLCDスクリーン２２２，２
４２が、それぞれ、第２ボディ２２０および第４ボディ２４０上に配置され、キーパッド２１２およびタブレット２３２が、それぞれ、第１ボディ２１０および第３ボディ２３０上に配置される。そのような電子デバイスを使用し、第１ボディ２１０と、第２ボディ２２０と、第３ボディ２３０と、第４ボディ２４０とが、フルオープンとなる時、ユーザーが、２つのスクリーン、キーパッドおよびタブレットの全ての機能を利用することができ、折り畳み式電子デバイスの機能を大きく拡張する。
【００３１】
ユーザーが、電子デバイスを使用しない時、ユーザーは、コンパクトにするため、全てのボディを簡単に折り畳み、反対に、ユーザーが、電子デバイスを操作しようとする時、ユーザーは、全てのボディを開くだけである。
【００３２】
図６は、本発明の第２実施形態により提供される折り畳み式電子デバイスの正面図である。図６を参照すると、第２実施形態であり、第２実施形態が、使用のための３つの折り畳み式ボディを有することだけを除いて、第１実施形態に類似した構造を有するものである。
【００３３】
図７は、本発明の第３実施形態により提供される折り畳み式電子デバイスの正面図である。図７を参照すると、第３実施形態であり、第３実施形態が、２つの折り畳み式ボディを有し、第２ボディ２２０が、第１ボディ２１０に対して左右に揺動することを除いて、第１実施形態に類似した構造を有するものである。
【００３４】
以上のごとく、この発明を最良の実施形態により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【図面の簡単な説明】
【００３５】
【図１Ａ】オープン状態の従来技術の折り畳み式携帯電話の正面図である。
【図１Ｂ】オープン状態の従来技術の折り畳み式携帯電話の側面図である。
【図２Ａ】本発明の第１実施形態により提供される折り畳み式電子デバイスの正面図である。
【図２Ｂ】本発明の第１実施形態により提供される折り畳み式電子デバイスの立体図である。
【図３】第１ヒンジ構造および第２ヒンジ構造を示す要部拡大図である。
【図４Ａ】本発明により提供される折り畳み式電子デバイスのクローズからフルオープンまでの複数の異なる状態のうちの一つの全ボディを示す概略図である。
【図４Ｂ】本発明により提供される折り畳み式電子デバイスのクローズからフルオープンまでの複数の異なる状態のうちの一つの全ボディを示す概略図である。
【図４Ｃ】本発明により提供される折り畳み式電子デバイスのクローズからフルオープンまでの複数の異なる状態のうちの一つの全ボディを示す概略図である。
【図４Ｄ】本発明により提供される折り畳み式電子デバイスのクローズからフルオープンまでの複数の異なる状態のうちの一つの全ボディを示す概略図である。
【図４Ｅ】本発明により提供される折り畳み式電子デバイスのクローズからフルオープンまでの複数の異なる状態のうちの一つの全ボディを示す概略図である。
【図４Ｆ】本発明により提供される折り畳み式電子デバイスのクローズからフルオープンまでの複数の異なる状態のうちの一つの全ボディを示す概略図である。
【図４Ｇ】本発明により提供される折り畳み式電子デバイスのクローズからフルオープンまでの複数の異なる状態のうちの一つの全ボディを示す概略図である。
【図５】本発明の実施形態に基づく折り畳み式電子デバイス実例の概略図である。
【図６】本発明の第２実施形態により提供される折り畳み式電子デバイスの正面図である。
【図７】本発明の第３実施形態により提供される折り畳み式電子デバイスの正面図である。
【符号の説明】
【００３６】
１００  折り畳み式携帯電話
１１０  第１ボディ
１２０  第２ボディ
１３０  シャフト
１４０  キーパッド
１５０  液晶ディスプレイモジュール（LCDモジュール）
２００  折り畳み式電子デバイス
２１０  第１ボディ
２１０ａ  第１側面
２１０ｂ  第２側面
２１２  キーパッド
２２０  第２ボディ
２２２  LCDスクリーン
２３０  第３ボディ
２３２  タブレット
２４０  第４ボディ
２４２  LCDスクリーン
２５０  第１ヒンジ構造
２５２ａ  ピボットベース
２５２ｂ  ピボットベース
２５２ｃ  シャフト
２５４  回転部分
２５４ａ  通孔
２６０  第２ヒンジ構造
２６２  スリーブ
２６４  シャフト
２７０  第３ヒンジ構造
Ａ  第１回転軸
Ｂ  第２回転軸
Ｃ  第３回転軸
Ｒ  回転軸
【図１Ａ】
2007115239.tif 000003
【図１Ｂ】
2007115239.tif 000004
【図２Ａ】
2007115239.tif 000005
【図２Ｂ】
2007115239.tif 000006
【図３】
2007115239.tif 000007
【図４Ａ】
2007115239.tif 000008
【図４Ｂ】
2007115239.tif 000009
【図４Ｃ】
2007115239.tif 000010
【図４Ｄ】
2007115239.tif 000011
【図４Ｅ】
2007115239.tif 000012
【図４Ｆ】
2007115239.tif 000013
【図４Ｇ】
2007115239.tif 000014
【図５】
2007115239.tif 000015
【図６】
2007115239.tif 000016
【図７】
2007115239.tif 000017
【外国語明細書】
2007115239.tif 000018
2007115239.tif 000019
2007115239.tif 000020
2007115239.tif 000021
2007115239.tif 000022
2007115239.tif 000023
2007115239.tif 000024
2007115239.tif 000025
2007115239.tif 000026
2007115239.tif 000027
2007115239.tif 000028
2007115239.tif 000029
2007115239.tif 000030
2007115239.tif 000031
2007115239.tif 000032
2007115239.tif 000033
2007115239.tif 000034
2007115239.tif 000035
2007115239.tif 000036
2007115239.tif 000037
2007115239.tif 000038
2007115239.tif 000039
2007115239.tif 000040
2007115239.tif 000041
2007115239.tif 000042
2007115239.tif 000043
2007115239.tif 000044
2007115239.tif 000045
2007115239.tif 000046
2007115239.tif 000047